(57)【要約】      （修正有）【課題】家全体が暖房または冷房となり、温度差や空気の汚れもないために、ストレスのない快適な室内環境がつくられ、しかも、暖房または冷房の効率が良好となり省エネに適する家屋の構造を伴う暖房装置および冷房装置を提供する。【解決手段】断熱構造の家屋において、一階の床下通気層１と、屋根裏の天井板裏通気層５とを設けるとともに、周囲において両方を連通させる内壁裏通気層３を設け、該各層は、輻射熱を通し得る板材や壁材等の内壁を介して室内に面しており、また、一方の内壁裏通気層３が上昇気流に、他方の内壁裏通気層３が下降気流となるように、天井板裏通気層５に、空気を送風ファンにより一方の内壁裏通気層３側から他方の内壁裏通気層３側へ送る循環促進装置１０を設け、さらに、家屋の外には、下降気流側の内壁裏通気３層の下方において、ルームヒーター４１を設けるとともに、床下通気層１と一階の部屋への暖気の導入口４３を設けた。【選択図】図１
2007163023.tif 000002
【特許請求の範囲】
【請求項１】
断熱構造の家屋において、一階の床下通気層と、屋根裏の天井板裏通気層とを設けるとともに、周囲において両方を連通させる内壁裏通気層を設け、該各層は、輻射熱を通し得る板材や壁材等の内壁を介して室内に面しており、また、一方の内壁裏通気層が上昇気流に、他方の内壁裏通気層が下降気流となるように、屋根裏の天井板裏通気層に、空気を送風ファンにより一方の内壁裏通気層側から他方の内壁裏通気層側へ送る循環促進装置を設け、さらに、家屋の外には、下降気流側の内壁裏通気層の下方において、ルームヒーターを設けるとともに、床下通気層と一階の部屋への暖気の導入口を設けたことを特徴とする家屋の構造を伴う暖房装置。
【請求項２】
断熱構造の家屋において、一階の床下暖房層と、屋根裏の天井板裏通気層とを設けるとともに、周囲において天井板裏通気層と連通する内壁裏通気層を設け、該各層は、輻射熱を通し得る板材や壁材等の内壁を介して室内に面しており、また、一方の内壁裏通気層が上昇気流に、他方の内壁裏通気層が下降気流となるように、屋根裏の天井板裏通気層に、空気を送風ファンにより一方の内壁裏通気層側から他方の内壁裏通気層側へ送る循環促進装置を設け、下降側の内壁裏通気層の下端に室内に暖気を戻す放出口を設け、一階の床下暖房層の暖気と、部屋の暖気が上昇側の内壁裏通気層に導入されるように構成したことを特徴とする家屋の構造を伴う暖房装置。
【請求項３】
断熱構造の家屋において、一階の床下通気層と、屋根裏の天井板裏通気層とを設けるとともに、周囲において両方を連通させる内壁裏通気層を設け、該各層は、輻射熱を通し得る板材や壁材等の内壁を介して室内に面しており、また、各内壁裏通気層が上昇気流となるように、屋根裏の天井板裏通気層に、空気を送風ファンにより外へ排出する循環促進装置を設け、家屋の北側において、壁下端に床下通気層と一階の部屋への屋外冷気の導入口を設けたことを特徴とする家屋の構造を伴う冷房装置。
【請求項４】
断熱構造の家屋において、一階の床下冷房層と、屋根裏の天井板裏通気層とを設けるとともに、周囲において天井板裏通気層と連通する内壁裏通気層を設け、該各層は、輻射熱を通し得る板材や壁材等の内壁を介して室内に面しており、また、各内壁裏通気層が上昇気流となるように、屋根裏の天井板裏通気層に、空気を送風ファンにより外へ排出する循環促進装置を設け、家屋の北側において、壁下端に一階の部屋への屋外冷気の導入口を設けたことを特徴とする家屋の構造を伴う冷房装置。
【発明の詳細な説明】
【技術分野】
【０００１】
この発明は、家屋に全体的に暖気または冷気を通すようにした家屋の構造を伴う暖房装置および冷房装置に関する。
【背景技術】
【０００２】
従来、一般の家屋では外に面する外周壁を構成する外壁と内壁との間に空洞の内部断熱空気層を設けたり、プラスチックフォーム等の断熱材が内装され、また、屋根裏の空間にも断熱材が内装されて断熱構造が取られ、こうして冬季は温かく、夏季は涼しく保たれやすい家屋が構築さる、また、これにより冷暖房の効率が高められる。しかしながら、快適空間の実現にはさらに改善する必要があった。
【０００３】
室内の冷暖房にはエアコンディショナーが用いられることが多く、暖房は開放型ストーブ、ＦＦストーブ等によっているが、多くの場合、室内の空気を直接温めるか冷却するかによるために、空気の対流により上が温かく、下が冷たくなる温度差が生じ、特に、暖房の場合であると、上半身が温かくても床が冷たく足に触れ、これがヒートショックないしストレスとなりやすく健康にも良くないというように、非常に不快な室内環境しか実現できなかった。また、開放型ストーブによるときは、灯油の燃焼により空気が汚れるという問題もあった。しかも、空気が比較的早く温められても周囲の外周壁は冷えたままで両方に温度差が生じ、そのため室内気温以下の体感温度しか得られなく、また、温度差を感じてストレスとなりやすかった。
【０００４】
このような室内環境を改善するために、床の下に電気ヒーターや温水パイプを配設する床暖房が施工される。しかし、この場合も、部屋の気温と外周壁との温度差の問題を解決できなく、身体全体を均等に快適に温めるのには適しなかった。
【０００５】
また、断熱家屋での冷房でも、建物内部の床、壁、天井の表面温度が高く、無理にエアコン等で室温を下げるため、人は建物から熱線輻射、エアコンから冷風と言う全く矛盾した暖房と冷房を同時に受け、これが俗に言う冷房病の原因となっている。
【発明の開示】
【発明が解決しようとする課題】
【０００６】
この発明は、上記のような実情に鑑みて、家全体がすっぽりと暖房または冷房となり、温度差や空気の汚れもないために、ストレスのない快適な室内環境がつくられ、しかも、暖房または冷房の効率が良好となり省エネに適する家屋の構造を伴う暖房装置および冷房装置を提供することを課題とした。
【０００７】
上記の課題を解決するために、第１発明は、断熱構造の家屋において、一階の床下通気層と、屋根裏の天井板裏通気層とを設けるとともに、周囲において両方を連通させる内壁裏通気層を設け、該各層は、輻射熱を通し得る板材や壁材等の内壁を介して室内に面しており、また、一方の内壁裏通気層が上昇気流に、他方の内壁裏通気層が下降気流となるように、屋根裏の天井板裏通気層に、空気を送風ファンにより一方の内壁裏通気層側から他方の内壁裏通気層側へ送る循環促進装置を設け、さらに、家屋の外には、下降気流側の内壁裏通気層の下方において、ルームヒーターを設けるとともに、床下通気層と一階の部屋への暖気の導入口を設けたことを特徴とする家屋の構造を伴う暖房装置を提供する。
【０００８】
また、第２発明は、断熱構造の家屋において、一階の床下暖房層と、屋根裏の天井板裏通気層とを設けるとともに、周囲において天井板裏通気層と連通する内壁裏通気層を設け、該各層は、輻射熱を通し得る板材や壁材等の内壁を介して室内に面しており、また、一方の内壁裏通気層が上昇気流に、他方の内壁裏通気層が下降気流となるように、屋根裏の天井板裏通気層に、空気を送風ファンにより一方の内壁裏通気層側から他方の内壁裏通気層側へ送る循環促進装置を設け、下降側の内壁裏通気層の下端に室内に暖気を戻す放出口を設け、一階の床下暖房層の暖気と、部屋の暖気が上昇側の内壁裏通気層に導入されるように構成したことを特徴とする家屋の構造を伴う暖房装置を提供する。
【０００９】
家屋の構造を伴う暖房装置を上記のように構成したから、断熱構造の家屋であるので、その内側に効率的に暖房装置を構造的に加えやすいことはもちろん、循環促進装置が最もつり合いの良い屋根裏の天井板裏通気層に設けられるから、一方の内壁裏通気層を上昇気流に他方の内壁裏通気層を下降気流に働かせることにより、家全体に暖気を循環させやすく、効率性から省エネにも適する。また、暖房の熱源は屋外のルームヒーター又は床下暖房によるために、それらにより室内空気が汚れるおそれはなく、しかも、その暖気が家全体に均等に行き渡り、内壁裏通気層や天井板裏通気層等からは輻射熱が放出されるため、身体が均等な温度で包まれ芯まで温められる。
【００１０】
第３発明は、断熱構造の家屋において、一階の床下通気層と、屋根裏の天井板裏通気層とを設けるとともに、周囲において両方を連通させる内壁裏通気層を設け、該各層は、輻射熱を通し得る板材や壁材等の内壁を介して室内に面しており、また、各内壁裏通気層が上昇気流となるように、屋根裏の天井板裏通気層に、空気を送風ファンにより外へ排出する循環促進装置を設け、家屋の北側において、壁下端に床下通気層と一階の部屋への屋外冷気の導入口を設けたことを特徴とする家屋の構造を伴う冷房装置を提供する。
【００１１】
また、第４発明は、断熱構造の家屋において、一階の床下冷房層と、屋根裏の天井板裏通気層とを設けるとともに、周囲において天井板裏通気層と連通する内壁裏通気層を設け、該各層は、輻射熱を通し得る板材や壁材等の内壁を介して室内に面しており、また、各内壁裏通気層が上昇気流となるように、屋根裏の天井板裏通気層に、空気を送風ファンにより外へ排出する循環促進装置を設け、家屋の北側において、壁下端に一階の部屋への屋外冷気の導入口を設けたことを特徴とする家屋の構造を伴う冷房装置を提供する。
【００１２】
家屋の構造を伴う冷房装置を上記のように構成したから、断熱構造の家屋であるので、それに効率的に冷房装置を構造的に加えやすいことはもちろん、排気を促進する循環促進装置が最もつり合いの良い屋根裏の天井板裏通気層に設けられるから、全ての内壁裏通気層を上昇気流に働かせることにより、家全体に冷気を循環させやすく、効率性から省エネにも適する。また、冷房に外の冷気を取り入れるためにこの点でも省エネに適し、床下冷房も加わるときは、それも冷気の循環経路に参入して家全体が快適に均一に冷房される。また、それらにより室内空気が汚れるおそれはなく、身体が均等な自然な温度で包まれ快適に冷気を浴びることができる。
【発明の効果】
【００１３】
以上説明したように、この発明によれば、家屋の内面に設けた内壁裏通気層に均等に空気の流動作用を及ぼしやすいように、中心的な天井板裏通気層にその作用を及ぼす循環促進装置を内装したから、その作動により全体的に暖気または冷気が循環する結果、家全体がすっぽりと暖房または冷房となり、温度差や空気の汚れもないために、ストレスのない快適な室内環境がつくられ、しかも、家屋が断熱構造であることもあって、暖房または冷房の効率が良好となり省エネにも適し、暖気または冷気の循環が良好であるので冷暖房の立ち上がりも良好であるという優れた効果がある。
【発明を実施するための最良の形態】
【００１４】
図１ないし図４は、それぞれ第１ないし第４の各発明の一実施形態で、いずれも総二階の木造家屋に実施した場合を代表的に示した。それぞれ内部通気工法と外部通気工法が取られ、内部通気工法は、この発明に係わるもので、一階の床下に床下通気層１（図１および図３）、床下暖房層２ａ（図２）または床下冷房層２ｂ（図４）を設け、外周壁において内壁裏通気層３を設け、屋根裏には天井板裏通気層５を設け、一階と二階との間に、天井・床間通気層７が設けられ、各通気層１，３，５，７を連通させてある。また、外周壁において、１８が内壁裏通気層３の熱または冷気の影響を直接受ける板材や壁材からなる内壁であって、それと内部断熱空気層１３の内側の板１２との間がその内壁裏通気層３となっている。また、天井板裏通気層５には、空気の循環を促進するほか熱の再利用や排気等を行う循環促進装置１０が設けられる。なお、家屋はコンクリートをべた打ちした耐圧基礎版４の上に建てられている。一階建ての場合にも同様に実施されるが、この場合は天井・床間通気層７が無いことになる。
【００１５】
内部断熱空気層１３は、土台８や柱９、梁１１を板１２，１２で挟んで構成され（図５参照）、その外側にアルミ箔シートとプラスチック断熱材とからなる複合断熱材１５が設けられる。また、外面板１６には、過熱防止のため太陽光線を反射するサイディングが用いられる。内部断熱空気層１３は、在来工法においても普通には設けられるものであるので、既存の家屋の内装工事により内壁裏通気層３を設けることもできる。なお、柱９や梁１１などを挟む板１２，１２のうち、内側の板１２を用いないこともできる。この場合は、内壁裏通気層３が内部断熱空気層１３と一緒になって厚い層となる。
【００１６】
外部通気工法は、外周壁において、複合断熱材１５と外面板１６との間に側部外気通気層１９を設け（図５参照）、屋根裏には複合断熱材１６の上に上部断熱空気層２０を設けたもので、外気を上昇気流として取り入れるために下端に開口２１が設けられ、上部断熱空気層２０の棟部において排気口２３が設けられる。こうして、太陽熱による外周壁の過熱が防止される。
【００１７】
循環促進装置１０は、通気管２５の一端を吸気口としてそこに集結室２７を設け、中間部に送風ファン２９を、先端部に切替ダンパー３１をそれぞれ設け、切替ダンパー３１には（図６参照）、直進管３３と排気管３５とを接続し、暖房と冷房とに共に使用できる構造にしてある。つまり、暖房装置の場合（図１および図２）直進管３３を開に設定しておくもので、この場合、送風ファン２９により一方の内壁裏通気層３が上昇気流となり、それと対向する他方の内部断熱空気層１３が下降気流となり循環するので、冬季における暖気再利用の省エネ状態が得られる。また、冷房装置の場合（図３および図４）排気管３５を開に切り替えておくもので、そうすると、両内壁裏通気層３，３が上昇気流となって外へ排気されるので、夏季において過熱防止の均一な冷房状態となる。
【００１８】
さらに、循環促進装置１０については、送風ファン２９のケースに吸気口３７を設け、天井にはそこに排気口３９が開口されている。そこで、二階の部屋の上部の比較的温かい空気が吸引され循環に加わるので、冬季においては、さらに暖房熱の再利用がなされるとともに部屋の上部過熱が防止される。また、一階の天井に天井・床間通気層７への排気口３８が設けられ、天井・床間通気層７が上昇側の内壁裏通気層３に通じているので、これによっても、暖気または冷気の再利用が図られると同時に、これによっても温度の均一化が図られる。
【００１９】
また、床下通気層１、床下暖房層２ａ、床下冷房層２ｂには、グリ石、粉砕瓦、炭等の遠赤外線やマイナスイオンを放出する材料が内装されるので、身体の血液循環を活発にし、健康増進に貢献する。なお、同様の意味において床材３０には（図７参照）炭入りシートを用いることが望ましい。２２は、可動間仕切壁であって、その移動により排気口３８，３９の有する部屋を変更することができる。
【００２０】
以上、図１ないし図４の各実施形態を共通的に説明したが、以下に、それぞれの場合について特別に説明する。
【００２１】
図１に示す家屋の構造を伴う暖房装置は、冬季の暖房システムで、内壁裏通気層３の空気が下降する側の外側には、下部ルームヒーター４１と上部ルームヒーター４１とが設置され、下部ルームヒーター４１の暖気が導入されるように、外周壁の下端に床下通気層１と一階の部屋に開口する導入口４３が設けられる。また、一階の部屋には、導入口４３の上を覆うようにカウンター４５が設けられ、それには多数の通気穴が形成されている。これにより空気が部屋に均一に拡散される。
【００２２】
また、循環促進装置１０の送風ファン２９の力により、下部ルームヒーター４１からの暖気は、床下通気層１から一方の内壁裏通気層３を上昇し、天井板裏通気層５を通って他方の内壁裏通気層３を下降し、再び床下通気層１や一階の部屋に至って、これを繰り返すことにより家屋の六面を暖気が循環する。一階の部屋については、天井・床間通気層７の天井に排気口３８が設けられているので、一階に循環した空気は、天井・床間通気層７を通って一方の内壁裏通気層３に入って上昇し循環に加わる。
【００２３】
また、上部ルームヒーター４１からは、天井・床間通気層７に暖気が送られ、それが、上昇側の内壁裏通気層３から天井板裏通気層５を介して下降側の内壁裏通気層３に下降し、これも床下通気層１や一階の部屋に至って暖気の循環に加わる。このようにして、家屋の内壁１８等の内面全体から、暖気の輻射熱が放出されるので、身体がぽかぽかと快適に温められる。また、屋根には、太陽熱温水器４７を設け、そこからの暖気導入管４９を循環促進装置１０に吸引可能に接続し、こうして太陽熱が空気の循環に加わるようにし省エネがさらに図られている。
【００２４】
図２に示す家屋の構造を伴う暖房装置は、天井・床間通気層７に暖気を送る上部ルームヒーター４１のみが設置されている。したがって、壁下端に導入口はなく閉塞されているが、下降側の内壁裏通気層３の下端に一階の部屋への暖気の放出口４０が設けられる。また、一階の床下は暖房層２ａとなっており、ここにおいては、温水パイプ５１が配設されるほか、グリ石や炭等が内装されセメント硬化剤入り土またはコンクリートを蓄熱剤として充填してある。なお、これは床下のないスラブ床工法であるから、地震に強く、建設コストも安い。
【００２５】
図３は家屋の構造を伴う冷房装置を示し、必ずしもエアコンを使用しなくても良いように工夫した（図４においても同じ）。空気の循環をなすために、床下通気層１、内壁裏通気層３，３、天井板裏通気層５、天井・床間通気層７が設けられ、天井板裏通気層５には循環促進装置１０が設けられていることは暖房装置の場合と同様である。しかし、切替ダンパー３１により排気に切り換えられているので（図６参照）、下から取り入れた冷気は、天井板裏通気層５から排気管３５を通じて排出され、そのため、両内壁裏通気層３，３では空気が上昇し、床下通気層１や天井・床間通気層７の空気も内壁裏通気層３を通じて上昇して天井板裏通気層５から排気管３５により排出される。
【００２６】
冷気の取り入れについては、家屋の北側に面した外に水槽６１を設けるほか、樹木６２を植え、そこにおいて、家屋には冷気の導入口６３が壁下の欠除により北側の内壁裏通気層３、一階の部屋、床下通気層１に通じるように開口される。そこで、日陰で水槽６１の上を通り樹木６２を通った空気は気化熱などで冷気されていることから、上記のような冷気の流れと排出により家屋全体が冷房される。この場合、その冷気に自然の空気を利用することによりエアコン等を使用しないで快適環境を実現できる。
【００２７】
図４は家屋の構造を伴う別の冷房装置を示したもので、この場合は、一階では床下冷房層２ｂが設けられる。また、北側において一階の室内への冷気の導入口６３が設けられ、そこに北側の内壁裏通気層３の下端口６４が冷気吸入可能に開口している。また、他方の内壁裏通気層３には床下冷房層２ｂからの冷気が入るようになっている。他は前記実施形態のものとほゞ同様であるので、同符号を記して説明を省略する。
【００２８】
床下冷房層２ｂについては、冷水を通す通水管６５を配設するほか、グリ石、粉砕瓦、炭などを入れ、セメント硬化剤入り土又はコンクリートを蓄冷剤として充填してある。
【図面の簡単な説明】
【００２９】
【図１】第１発明による家屋の構造を伴う暖房装置の一実施形態を示す断面図である。
【図２】第２発明による家屋の構造を伴う暖房装置の一実施形態を示す断面図である。
【図３】第３発明により家屋の構造を伴う冷房装置の一実施形態を示す断面図である。
【図４】第４発明による家屋の構造を伴う冷房装置の一実施形態を示す断面図である。
【図５】上記各発明における内壁裏通気層の構造を示す壁横断面図である。
【図６】この発明に使用する循環促進装置の一部断面図である。
【図７】この発明に使用するのに適した床の一部断面図である。
【符号の説明】
【００３０】
１  床下通気層
２ａ  床下暖房層
２ｂ  床下冷房層
３  内壁裏通気層
５  天井板裏通気層
１０  循環促進装置
１８  内壁
４０  放出口
４１  ルームヒーター
４３  暖気の導入口
６３  冷気の導入口
【図１】
2007163023.tif 000003
【図２】
2007163023.tif 000004
【図３】
2007163023.tif 000005
【図４】
2007163023.tif 000006
【図５】
2007163023.tif 000007
【図６】
2007163023.tif 000008
【図７】
2007163023.tif 000009